(57)【要約】 【課題】映像収録再生装置による収録処理及び再生処理等に影響を及ぼさずに、ＲＡＩＤ機能を利用したリビルド処理を行うことが可能な映像収録再生装置を提供する。【解決手段】映像収録再生装置は、記録制御部、複数の記録部、リソース管理部及び処理部を具備する。複数の記録部は、映像データがＲＡＩＤ制御により分割された複数の分割データと冗長データとを記録する。記録制御部は、複数の記録部のうち、いずれかを新たな記録部に交換した場合、交換前の複数の記録部に記録されていたデータを再構築する。処理部は、再構築の実効中にリアルタイム性を要する処理が要求され、かつ、前記処理を実行するのに必要なリソースがない場合、記録制御部に実行中の再構築を停止させて前記処理を実行させる。処理部は、前記処理が終了し、かつ、停止されている再構築処理を再開するのに必要なリソースがある場合、停止されている再構築処理を再開させる。【選択図】図１０
2014059659.tif 000002
【特許請求の範囲】
【請求項１】
受信する映像信号を符号化した映像データを収録する収録部と、
前記映像データをＲＡＩＤ（Redundant Arrays of Independent Disks）制御により複数の分割データに分割し、前記分割データを復元するための冗長データを生成する記録制御部と、
前記記録制御部が生成した分割データ及び前記冗長データをそれぞれ記録する複数の記録部と、
前記映像信号を前記複数の記録部へ記録するための前記収録部、前記記録制御部及び前記複数の記録部に関する第１のリソース情報を生成するリソース管理部と、
前記リソース管理部により生成された第１のリソース情報に基づいて、前記映像信号を前記複数の記録部へ記録するために前記収録部及び前記記録制御部を制御する処理部と
を具備し、
前記記録制御部は、前記複数の記録部のいずれかを交換する場合、交換される記録部以外に記録される分割データ、又は、分割データ及び冗長データから、前記交換される記録部に記録されていた冗長データ又は分割データをそれぞれ復元し、前記交換前の複数の記録部に記録されていたデータを複数の記録部に再構築し、
前記リソース管理部は、前記交換前の複数の記録部に記録されていたデータを、交換後の複数の記録部に再構築するための第２のリソース情報を生成し、
前記処理部は、前記生成された第２のリソース情報に基づいて、前記交換前の複数の記録部に記録されていたデータを、交換後の複数の記録部に再構築するために前記記録制御部を制御した後、前記再構築処理中に映像信号の収録が要求され、前記第１のリソース情報に基づいて前記要求された収録を実行するためのリソースがないと判断する場合、前記記録制御部に実行中の再構築を停止させ、前記収録部及び前記記録制御部に前記要求された収録を実行させる映像収録再生装置。
【請求項２】
前記リソース管理部は、前記映像信号の収録が終了すると、停止されている再構築処理を再開するのに必要な第３のリソース情報を生成し、
前記処理部は、前記生成された第３のリソース情報に基づいて前記停止されている再構築処理を再開するように、前記記録制御部を制御する請求項１記載の映像収録再生装置。
【請求項３】
前記記録制御部は、前記複数の記録部に記録されている分割データ及び冗長データから映像データを生成し、
前記映像収録再生装置は、前記生成した映像データを映像信号に復号して再生する再生部をさらに具備し、
前記リソース管理部は、前記映像信号を再生するための前記再生部、前記記録制御部及び前記複数の記録部に関する第４のリソース情報を生成し、
前記処理部は、前記生成された第４のリソース情報に基づいて前記映像信号を再生するように、前記記録制御部及び前記再生部を制御し、
前記処理部は、前記再構築処理中に前記映像信号の再生が要求され、前記生成された第４のリソース情報に基づいて前記要求された再生を実行するためのリソースがないと判断する場合、前記記録制御部に前記実行中の再構築を停止させ、前記記録制御部及び前記再生部に前記要求された再生を実行させる請求項１又は２に記載の映像収録再生装置。
【請求項４】
前記記録制御部は、前記複数の記録部に記録されている分割データ及び冗長データから映像ファイルを生成し、
前記映像収録再生装置は、前記生成した映像ファイルを映像信号に変換して再生する再生部をさらに具備し、
前記リソース管理部は、前記映像信号を再生するための前記再生部、前記記録制御部及び前記複数の記録部に関する第４のリソース情報を生成し、
前記処理部は、前記生成された第４のリソース情報に基づいて前記映像信号を再生するように、前記記録制御部及び前記再生部を制御し、
前記処理部は、前記再構築処理中に前記映像信号の再生が要求され、前記第４のリソース情報に基づいて前記要求された再生を実行するためのリソースがないと判断する場合、前記記録制御部に前記実行中の再構築を停止させ、前記記録制御部及び前記再生部に前記要求された再生を実行させる請求項１又は２に記載の映像収録再生装置。
【請求項５】
前記リソース管理部は、前記映像信号の再生が終了すると、停止されている再構築処理を再開するのに必要な第５のリソース情報を生成し、
前記処理部は、前記生成された第５のリソース情報に基づいて前記停止されている再構築処理を再開するように、前記記録制御部を制御する請求項３又は４に記載の映像収録再生装置。
【請求項６】
映像データがＲＡＩＤ（Redundant Arrays of Independent Disks）制御により分割された複数の分割データと、前記分割データを復元するための冗長データとが記録される複数の記録部と、
前記複数の記録部に記録されている分割データ及び冗長データから映像データを生成する記録制御部と、
前記生成した映像データを映像信号に復号して再生する再生部と、
前記映像信号を再生するための前記再生部、前記記録制御部及び前記複数の記録部に関する第１のリソース情報を生成するリソース管理部と、
前記リソース管理部により生成された第１のリソース情報に基づいて、前記映像信号を再生するために、前記再生部及び前記記録制御部を制御する処理部と
を具備し、
前記記録制御部は、前記複数の記録部のいずれかを交換する場合、交換される記録部以外に記録される分割データ、又は、分割データ及び冗長データから、前記交換される記録部に記録されていた冗長データ又は分割データをそれぞれ復元し、前記交換前の複数の記録部に記録されていたデータを複数の記録部に再構築し、
前記リソース管理部は、前記交換前の複数の記録部に記録されていたデータを、交換後の複数の記録部に再構築ための第２のリソース情報を生成し、
前記処理部は、前記生成された第２のリソース情報に基づいて、前記交換前の複数の記録部に記録されていたデータを、交換後の複数の記録部に再構築するために前記記録制御部を制御した後、前記再構築処理中に前記映像信号の再生が要求され、前記第１のリソース情報に基づいて前記要求された再生を実行するためのリソースがないと判断する場合、前記記録制御部に実行中の再構築を停止させ、前記再生部及び前記記録制御部に前記要求された再生を実行させる映像収録再生装置。
【請求項７】
前記リソース管理部は、前記映像信号の再生が終了すると、停止されている再構築処理を再開するのに必要な第３のリソース情報を生成し、
前記処理部は、前記生成された第３のリソース情報に基づいて前記停止されている再構築処理を再開するように、前記記録制御部を制御する請求項６記載の映像収録再生装置。
【請求項８】
前記記録制御部は、前記複数の記録部に記録されている分割データ及び冗長データから映像ファイルを生成し、
前記再生部は、前記生成した映像ファイルを映像信号に変換して再生する請求項６又は７に記載の映像収録再生装置。
【請求項９】
映像データがＲＡＩＤ（Redundant Arrays of Independent Disks）制御により分割された複数の分割データと、前記分割データを復元するための冗長データとが記録される複数の記録部と、前記複数の記録部のうち、いずれかの記録部を新たな記録部に交換した場合、交換後の記録部以外の記録部に記録される分割データ、又は、分割データ及び冗長データから、交換前の記録部に記録されていた冗長データ又は分割データをそれぞれ復元することで、前記交換前の複数の記録部に記録されていたデータを、交換後の複数の記録部に再構築する記録制御部とを具備する映像収録再生装置で用いられるリビルド再開方法であって、
前記再構築の実効中にリアルタイム性を要する処理が要求された場合、前記処理を実行するのに必要なリソースがあるか否かを判断し、
前記処理を実行するのに必要なリソースがない場合、前記記録制御部に前記実行中の再構築を停止させて前記処理を実行させ、
前記処理が終了すると、前記停止されている再構築処理を再開するのに必要なリソースがあるか否かを判断し、
前記停止されている再構築処理を再開するのに必要なリソースがある場合、前記停止されている再構築処理を再開するリビルド再開方法。
【発明の詳細な説明】
【技術分野】
【０００１】
本発明の実施形態は、ＲＡＩＤ制御方式を利用して記憶部に映像データを蓄積する映像収録再生装置及びこの映像収録再生装置で用いられるリビルド再開方法に関する。
【背景技術】
【０００２】
放送局向けの映像コンテンツを収録・再生する映像収録再生装置は、公共性が高く、映像コンテンツの再生障害は大きな問題となる。そのため、この種の映像収録再生装置では、再生品質が著しく問われることになる。
【０００３】
再生品質を担保するため、映像収録再生装置では、リードソロモン符号化／復号化の機能を組み込むことで、記憶部に記憶される映像コンテンツに異常が発生した場合であっても、異常が発生した映像コンテンツを救済又は復元することができるようにしている。ただし、リードソロモン符号化／復号化の機能では、記憶部の一部に異常があった場合、映像コンテンツを救済及び復元することができない場合がある。このような問題に対して、映像収録再生装置を２系統化することで、信頼性の向上を図ることが可能である。しかしながら、映像収録再生装置の２系統化は、設備費用の大幅な増加が見込まれるため、地方局及びケーブルテレビ局等の小規模テレビ局への導入が難しい。
【０００４】
そこで、映像収録再生装置に、ＲＡＩＤ機能を組み込むことで、記憶部の一部に異常がある場合であっても、映像コンテンツを安価に復元及び再構築することが可能となるようにしている。
【０００５】
例えば、Ｎ＋１の冗長化したＲＡＩＤ機能を有する映像収録再生装置は、記憶部に設けられるメモリ基板のうち１枚が故障した場合であっても、残りＮ枚のメモリ基板に記録されるデータに基づいて映像コンテンツを復元することが可能である。さらに、故障したメモリ基板を交換した場合には、映像収録再生装置は、Ｎ枚のメモリ基板に記録されるデータに基づき、故障したメモリ基板に記録されていたデータを、新たなメモリ基板に復元することで、映像コンテンツを再構築することが可能である（以降、リビルドと称する）。
【０００６】
ただし、映像収録再生装置が同時に実行可能な処理には制限がある。そのため、リビルド処理の実行が、映像収録再生装置の収録処理及び再生処理に遅延等の影響を及ぼすおそれがある。
【先行技術文献】
【特許文献】
【０００７】
【特許文献１】特開２００８−２２８２４３号公報
【発明の概要】
【発明が解決しようとする課題】
【０００８】
以上のように、従来の映像収録再生装置では、再生品質が問われるにも係らず、リビルド処理の実行が、映像収録再生装置による収録処理及び再生処理等に影響を及ぼすおそれがある。
【０００９】
そこで、本発明の目的は、映像収録再生装置による収録処理及び／又は再生処理等に影響を及ぼさずに、ＲＡＩＤ機能を利用したリビルド処理を行うことが可能な映像収録再生装置及びこの映像収録再生装置で用いられるリビルド再開方法を提供することにある。
【課題を解決するための手段】
【００１０】
実施形態によれば、映像収録再生装置は、収録部、記録制御部、複数の記録部、リソース管理部及び処理部を具備する。収録部は、受信する映像信号を符号化した映像データを収録する。記録制御部は、前記映像データをＲＡＩＤ（Redundant Arrays of Independent Disks）制御により複数の分割データに分割し、前記分割データを復元するための冗長データを生成する。複数の記録部は、前記記録制御部が生成した分割データ及び前記冗長データをそれぞれ記録する。リソース管理部は、前記映像信号を前記複数の記録部へ記録するための前記収録部、前記記録制御部及び前記複数の記録部に関する第１のリソース情報を生成する。処理部は、前記リソース管理部により生成された第１のリソース情報に基づいて、前記映像信号を前記複数の記録部へ記録するために前記収録部及び前記記録制御部を制御する。また、前記記録制御部は、前記複数の記録部のいずれかを交換する場合、交換される記録部以外に記録される分割データ、又は、分割データ及び冗長データから、前記交換される記録部に記録されていた冗長データ又は分割データをそれぞれ復元し、前記交換前の複数の記録部に記録されていたデータを複数の記録部に再構築する。また、前記リソース管理部は、前記交換前の複数の記録部に記録されていたデータを、交換後の複数の記録部に再構築するための第２のリソース情報を生成する。また、前記処理部は、前記生成された第２のリソース情報に基づいて、前記交換前の複数の記録部に記録されていたデータを、交換後の複数の記録部に再構築するために前記記録制御部を制御した後、前記再構築処理中に映像信号の収録が要求され、前記第１のリソース情報に基づいて前記要求された収録を実行するためのリソースがないと判断する場合、前記記録制御部に実行中の再構築を停止させ、前記収録部及び前記記録制御部に前記要求された収録を実行させる。
【００１１】
また、実施形態によれば、映像収録再生装置は、複数の記録部、記録制御部、再生部、リソース管理部及び処理部を具備する。複数の記録部は、映像データがＲＡＩＤ制御により分割された複数の分割データと、前記分割データを復元するための冗長データとが記録される。記録制御部は、前記複数の記録部に記録されている分割データ及び冗長データから映像データを生成する。再生部は、前記生成した映像データを映像信号に復号して再生する。リソース管理部は、前記映像信号を再生するための前記再生部、前記記録制御部及び前記複数の記録部に関する第１のリソース情報を生成する。処理部は、前記リソース管理部により生成された第１のリソース情報に基づいて、前記映像信号を再生するために、前記再生部及び前記記録制御部を制御する。また、前記記録制御部は、前記複数の記録部のいずれかを交換する場合、交換される記録部以外に記録される分割データ、又は、分割データ及び冗長データから、前記交換される記録部に記録されていた冗長データ又は分割データをそれぞれ復元し、前記交換前の複数の記録部に記録されていたデータを複数の記録部に再構築する。また、前記リソース管理部は、前記交換前の複数の記録部に記録されていたデータを、交換後の複数の記録部に再構築ための第２のリソース情報を生成する。また、前記処理部は、前記生成された第２のリソース情報に基づいて、前記交換前の複数の記録部に記録されていたデータを、交換後の複数の記録部に再構築するために前記記録制御部を制御した後、前記再構築処理中に前記映像信号の再生が要求され、前記第１のリソース情報に基づいて前記要求された再生を実行するためのリソースがないと判断する場合、前記記録制御部に実行中の再構築を停止させ、前記再生部及び前記記録制御部に前記要求された再生を実行させる。
【図面の簡単な説明】
【００１２】
【図１】本実施形態に係る映像収録再生装置を備える映像送出システムの構成を示す図である。
【図２】図１の映像収録再生装置の機能構成を示すブロック図である。
【図３】図２に示す主制御処理部の機能構成と、メモリに記録される情報とを示すブロック図である。
【図４】図２に示す主制御部のメモリに記録される構成管理情報テーブルを示す図である。
【図５】図２に示す主制御部のメモリに記録されるリソース管理情報テーブルを示す図である。
【図６】図２に示す第１の記録処理部による収録処理及び再生処理を説明する図である。
【図７】図２に示す第１の記録処理部による復元処理を説明する図である。
【図８】図２に示す第１の記録処理部によるリビルド処理を説明する図である。
【図９】図１に示す映像収録再生装置がリビルド処理を実行する際の主制御部の処理手順を示すフローチャートである。
【図１０】図１に示す映像収録再生装置が再生処理を実行する際の主制御部の処理手順を示すフローチャートである。
【図１１Ａ】図１に示す映像収録再生装置がリビルド待ちになっていたリビルド処理を開始する際、及び、リビルド一時停止になっているリビルド処理を再開する際の主制御部の処理手順を示すフローチャートの第１図である。
【図１１Ｂ】図１に示す映像収録再生装置がリビルド待ちになっていたリビルド処理を開始する際、及び、リビルド一時停止になっているリビルド処理を再開する際の主制御部の処理手順を示すフローチャートの第２図である。
【発明を実施するための形態】
【００１３】
以下、実施の形態について、図面を参照して説明する。
【００１４】
図１は、本実施形態に係る映像収録再生装置１０を備える映像送出システムの構成例を示す模式図である。図１に示す映像送出システムは、映像収録再生装置１０、ビデオカメラ２０、再生デッキ３０、ノンリニア編集機４０、操作端末５０、映像確認用モニタ６０及び放送設備７０を備える。
【００１５】
ビデオカメラ２０は、撮影により取得した映像信号を映像収録再生装置１０へ出力する。
【００１６】
再生デッキ３０には、映像データ又は映像ファイルが記録された映像記録メディア３１が挿入される。映像データとは、映像信号が予め設定された所定の符号化方式により符号化されたものであり、映像ファイルとは、映像データが例えば、ＭＸＦ（Material eXchange Format）等のファイル形式に変換されたものである。再生デッキ３０は、映像記録メディア３１から映像データ又は映像ファイルを読み出し、映像信号に変換して映像収録再生装置１０へ出力する。
【００１７】
ノンリニア編集機４０は、ユーザからの要求に従い、映像収録再生装置１０に蓄積されている映像ファイルを読み出す。ユーザは、ノンリニア編集機４０により、読み出した映像ファイルを編集する。ノンリニア編集機４０は、編集済みの映像ファイルを映像収録再生装置１０へ出力する。
【００１８】
操作端末５０は、ユーザからのコマンドを受け付け、受け付けたコマンドを映像収録再生装置１０へ出力する。ここで、ユーザが入力するコマンドには、映像信号の収録処理、映像ファイルの収録処理、映像信号の再生処理、映像ファイルの出力処理、及び、リビルド処理等を要求するコマンドがある。なお、リビルド処理とは、映像収録再生装置１０内の記憶部に搭載される複数の記録部のいずれかを交換した際に、交換対象の記録部以外に記録されるデータに基づき、交換前の記録部に記録されていたデータを、交換後の記録部に復元することで、交換前の複数の記憶部に記録されていた映像データ又は映像ファイルを再構築する処理をいう。
【００１９】
映像確認用モニタ６０は、映像収録再生装置１０に蓄積される映像データ又は映像ファイルが再生された映像信号を受信する。映像確認用モニタ６０は、映像収録再生装置１０からの映像信号を表示する。ユーザは、映像確認用モニタ６０の表示を見て、編集処理の必要性等を確認する。
【００２０】
放送設備７０は、映像収録再生装置１０に蓄積されている映像データ又は映像ファイルが再生された映像信号を受信する。放送設備７０は、映像収録再生装置１０からの映像信号を、放送サービスを提供するエリアへ向けて放送配信をする。
【００２１】
図２は、本実施形態に係る映像収録再生装置１０の機能構成を示すブロック図である。図２に示す映像収録再生装置１０は、収録部１１、記憶部１２、再生部１４、主制御部１５及び出力部１３を具備する。なお、図２に示す映像収録再生装置１０には、収録部１１、再生部１４及び出力部１３が、それぞれ複数ずつ備えられている。収録部１１、記憶部１２、再生部１４、主制御部１５及び出力部１３は、バス又はネットワーク等により接続される。
【００２２】
収録部１１は、例えば、ＣＰＵ（Central Processing Unit）と、ＣＰＵが処理を実行するためのプログラムやデータの格納領域等を含むＲＯＭ（Read Only Memory）及びＲＡＭ（Random Access Memory）等とを備える。収録部１１は、ＣＰＵにプログラムを実行させる収録処理部１１１を有する。
【００２３】
収録処理部１１１は、主制御部１５から映像信号の収録要求が与えられると、予め設定された符号化方式を用い、外部から供給される映像信号を映像データに変換する。予め設定された符号化方式とは、例えば、ＭＰＥＧ２（Moving Picture Experts Group 2）方式等である。収録処理部１１１は、映像データを記憶部１２へ出力する。
【００２４】
また、収録処理部１１１は、主制御部１５から映像ファイルの収録要求が与えられると、外部から供給される映像ファイルを解析し、解析後の映像ファイルを記憶部１２へ出力する。
【００２５】
再生部１４は、例えば、ＣＰＵと、ＣＰＵが処理を実行するためのプログラムやデータの格納領域等を含むＲＯＭ及びＲＡＭ等とを備え、ＣＰＵにプログラムを実行させる再生処理部１４１を有する。
【００２６】
この再生処理部１４１は、主制御部１５から再生要求が与えられると、記憶部１２から供給される映像データを、収録部１１での符号化方式に対応させて復号化し、映像信号に変換する。また、再生処理部１４１は、再生要求が与えられると、記憶部１２から供給される映像ファイルを映像信号に変換する。再生処理部１４１は、変換後の映像信号を外部へ出力する。
【００２７】
出力部１３は、例えば、ＣＰＵと、ＣＰＵが処理を実行するためのプログラムやデータの格納領域等を含むＲＯＭ及びＲＡＭ等とを備え、ＣＰＵにプログラムを実行させる出力処理部１３１を有する。
【００２８】
この出力処理部１３１は、主制御部１５から映像ファイルの出力要求が与えられると、記憶部１２から供給される映像ファイルを外部へ出力する。
【００２９】
主制御部１５は、例えば、ＣＰＵと、ＣＰＵが処理を実行するためのプログラムやデータの格納領域等を含むＲＯＭ及びＲＡＭ等とを備え、ＣＰＵにプログラムを実行させる主制御処理部１５１と、メモリ１５２を有し、映像収録再生装置１０における映像信号の収録処理、映像ファイルの収録処理、再生処理、出力処理及びリビルド処理等を制御する。
【００３０】
図３は、本実施形態に係る主制御処理部１５１の機能構成と、メモリ１５２に記録される情報とを示すブロック図である。図３に示す主制御処理部１５１は、制御受付部１５１１、メイン処理部１５１２及びリソース管理部１５１３を備える。また、図３に示すメモリ１５２は、構成管理情報テーブル及びリソース管理情報テーブルを記録する。
【００３１】
図４は、メモリ１５２に記録される構成管理情報テーブルの例を示す図である。ここでは簡略化のため、各種リソースの運用に必要な情報は概要を記載している。図４に示される構成管理情報テーブルでは、映像信号の収録処理、映像ファイルの収録処理、再生処理、出力処理及びリビルド処理等に必要な情報が、構成機器毎に管理される。
【００３２】
図５は、メモリ１５２に記録されるリソース管理情報テーブルの例を示す図である。図５に示されるリソース管理情報テーブルでは、記憶部１２について、現在実行中の処理、実行中の処理の開始時刻及び使用帯域等が管理される場合を例に示す。主制御処理部１５１は、記憶部１２の最大使用可能帯域から現在実行中の処理で使用している帯域を引いた残帯域を計算する。主制御処理部１５１は、計算した残帯域を参照し、同時に実行できる処理を管理する。
【００３３】
制御受付部１５１１は、操作端末５０又は上位装置（図示せず）から入力されたコマンドを受け取り、受け取ったコマンドをメイン処理部１５１２へ出力する。
【００３４】
また、制御受付部１５１１は、メイン処理部１５１２から応答メッセージを受け取ると、受け取った応答メッセージを操作端末５０又は上位装置へ出力する。
【００３５】
メイン処理部１５１２は、制御受付部１５１１から供給されるコマンドを受け取ると、受け取ったコマンドにより指定される処理要求が何かを判断する。
【００３６】
メイン処理部１５１２は、コマンドに基づいて得られた処理要求が、映像信号の収録要求、映像ファイルの収録要求、再生要求、出力要求又はリビルド要求である場合、映像信号の収録処理、映像ファイルの収録処理、再生処理、出力処理又はリビルド処理を実施する際に使用可能なリソースを、リソース管理部１５１３に対して要求する。なお、リソースとは、記憶部１２の書込み速度、読出し速度及び記憶部１２自体の処理能力と、バス又はネットワークのデータ転送能力等とに基づいて決められる、映像収録再生装置１０が処理を実行する際に必要となる資源のことである。
【００３７】
メイン処理部１５１２は、リソース管理部１５１３から、映像信号の収録処理において使用可能な収録部１１と、使用可能な記憶部１２とについての情報を受け取ると、制御受付の応答メッセージを作成する。メイン処理部１５１２は、作成した応答メッセージを制御受付部１５１１へ出力する。メイン処理部１５１２は、収録部１１及び記憶部１２へ映像信号の収録要求を出力することで、記憶部１２に映像データを収録する。
【００３８】
メイン処理部１５１２は、リソース管理部１５１３から、映像ファイルの収録処理において使用可能な収録部１１と、使用可能な記憶部１２とについての情報を受け取ると、制御受付の応答メッセージを作成する。メイン処理部１５１２は、作成した応答メッセージを制御受付部１５１１へ出力する。メイン処理部１５１２は、収録部１１及び記憶部１２へ映像ファイルの収録要求を出力することで、記憶部１２に映像ファイルを収録する。
【００３９】
メイン処理部１５１２は、リソース管理部１５１３から、再生処理において使用可能な再生部１４と、使用可能な記憶部１２とについての情報を受け取ると、制御受付の応答メッセージを作成する。メイン処理部１５１２は、作成した応答メッセージを制御受付部１５１１へ出力する。メイン処理部１５１２は、再生部１４及び記憶部１２へ再生要求を出力することで、記憶部１２から映像データを読み出し、再生部１４から再生する。
【００４０】
メイン処理部１５１２は、リソース管理部１５１３から、出力処理において使用可能な出力部１６と、使用可能な記憶部１２とについての情報を受け取ると、制御受付の応答メッセージを作成する。メイン処理部１５１２は、作成した応答メッセージを制御受付部１５１１へ出力する。メイン処理部１５１２は、出力部１３及び記憶部１２へ出力要求を出力することで、記憶部１２から映像ファイルを読み出し、出力部１３から出力する。
【００４１】
メイン処理部１５１２は、リソース管理部１５１３から、リビルド処理のために使用可能なリソースについての情報を受け取ると、制御受付の応答メッセージを作成する。メイン処理部１５１２は、作成した応答メッセージを制御受付部１５１１へ出力する。メイン処理部１５１２は、記憶部１２へリビルド要求を出力することで、記憶部１２に記憶されている素材データ又は素材ファイルを再構築する。
【００４２】
また、メイン処理部１５１２は、リソース管理部１５１３から、記憶部１２に対するリビルド処理を実行するためのリソースがない旨の情報を受け取った場合、リビルド待ちであることを制御受付部１５１１を介して操作端末５０又は上位装置へ出力する。
【００４３】
メイン処理部１５１２は、実行中のリビルド処理のために映像信号の収録処理又は再生処理が実行できない旨の情報を、リソース管理部１５１３から受け取った場合、実行中のリビルド処理を一時停止する要求を記憶部１２へ出力する。メイン処理部１５１２は、リビルド処理に割り当てられている記憶部１２のリソースを解放する。メイン処理部１５１２は、記憶部１２のリソースを解放したことをリソース管理部１５１３へ通知する。
【００４４】
メイン処理部１５１２は、映像信号の収録処理又は再生処理が終了した旨の終了通知を受けた場合、リビルド待ちとなっているリビルド処理を開始させるのに使用可能なリソースを、リソース管理部１５１３に対して要求する。また、メイン処理部１５１２は、映像信号の収録処理又は再生処理が終了した場合、リビルド一時停止となっているリビルド処理を再開させるのに使用可能なリソースを、リソース管理部１５１３に対して要求する。
【００４５】
リソース管理部１５１３は、メイン処理部１５１２から映像信号又は映像ファイルの収録要求に応じたリソース要求を受けると、メモリ１５２に記録されている構成管理情報テーブル及びリソース管理情報テーブルを参照し、収録部１１のうち使用可能な収録部と、記憶部１２において使用可能なリソースとを取得する。リソース管理部１５１３は、使用可能な収録部と、記憶部１２において使用可能なリソースとについての情報をメイン処理部１５１２へ出力する。
【００４６】
リソース管理部１５１３は、メイン処理部１５１２から再生要求に応じたリソース要求を受けると、メモリ１５２に記録されている構成管理情報テーブル及びリソース管理情報テーブルを参照し、再生部１４のうち使用可能な再生部と、記憶部１２において使用可能なリソースとを取得する。リソース管理部１５１３は、使用可能な再生部と、記憶部１２において使用可能なリソースとについての情報をメイン処理部１５１２へ出力する。
【００４７】
また、リソース管理部１５１３は、メイン処理部１５１２から映像信号の収録要求又は再生要求に応じたリソース要求を受けたが、リビルド処理が実行されているために収録要求又は再生要求へ割り当てるリソースがない場合、実行中のリビルド処理のために収録要求又は再生要求が実行できない旨の情報をメイン処理部１５１２へ出力する。リソース管理部１５１３は、メイン処理部１５１２から、リビルド処理に割り当てられていたリソースを解放したことが通知されると、リソース管理情報テーブルを更新する。リソース管理部１５１３は、構成管理情報テーブル及び更新後のリソース管理情報テーブルを参照し、収録部１１のうち使用可能な収録部及び記憶部１２において使用可能なリソース、又は、再生部１４のうち使用可能な再生部及び記憶部１２において使用可能なリソースを取得する。リソース管理部１５１３は、使用可能な収録部及び記憶部１２において使用可能なリソース、又は、使用可能な再生部及び記憶部１２において使用可能なリソースについての情報をメイン処理部１５１２へ出力する。
【００４８】
リソース管理部１５１３は、メイン処理部１５１２から出力要求に応じたリソース要求を受けると、メモリ１５２に記録されている構成管理情報テーブル及びリソース管理情報テーブルを参照し、出力部１６のうち使用可能な収録部と、記憶部１２において使用可能なリソースとを取得する。リソース管理部１５１３は、使用可能な出力部と、記憶部１２において使用可能なリソースとについての情報をメイン処理部１５１２へ出力する。
【００４９】
リソース管理部１５１３は、メイン処理部１５１２からリビルド要求に応じたリソース要求を受けると、メモリ１５２に記録されている構成管理情報テーブル及びリソース管理情報テーブルを参照し、記憶部１２に対してリビルド処理を実行するためのリソースを取得する。リソース管理部１５１３は、記憶部１２において使用可能なリソースについての情報をメイン処理部１５１２へ出力する。記憶部１２に対してリビルド処理を実行するためのリソースが十分にない場合、リソース管理部１５１３は、記憶部１２に対するリビルド処理を実施するためのリソースがない旨の情報をメイン処理部１５１２へ出力する。
【００５０】
記憶部１２は、記録制御部１２１及び記録部１２２−１〜１２２−Ｍを備える。
【００５１】
記録制御部１２１は、例えば、ＣＰＵと、ＣＰＵが処理を実行するためのプログラムやデータの格納領域等を含むＲＯＭ及びＲＡＭ等とを備え、記録制御部１２１は、ＣＰＵにプログラムを実行させることで、第１の記録処理部１２１１及びメモリ１２１２を有する。
【００５２】
第１の記録処理部１２１１は、主制御部１５から映像信号又は映像ファイルの収録要求が与えられると、収録部１１から出力された映像データ又は映像ファイルを、ＲＡＩＤ（Redundant Arrays of Independent Disks）と呼ばれる冗長化方式を用いて、記録部１２２−１〜１２２−Ｍに記録させる。第１の記録処理部１２１１は、映像信号又は映像ファイルの収録処理が終了すると、終了通知を主制御部１５へ出力する。
【００５３】
第１の記録処理部１２１１は、主制御部１５から再生要求が与えられると、ＲＡＩＤ方式を利用して記録部１２２−１〜１２２−Ｍから映像データ又は映像ファイルを読み出す。第１の記録処理部１２１１は、読み出した映像データ又は映像ファイルを再生部１４へ出力する。第１の記録処理部１２１１は、再生処理が終了すると、終了通知を主制御部１５へ出力する。
【００５４】
図６は、第１の記録処理部１２１１がＲＡＩＤ方式を用いて、収録部１１から供給される映像データを収録する処理、及び、記録部１２２−１〜１２２−５から読み出した映像データを再生部１４へ出力する処理を説明する図である。図６では、記憶部１２が記録部１２２−１〜１２２−５を備えるものとして説明する。
【００５５】
第１の記録処理部１２１１は、収録部１１から映像データ「ＡＢＣＤ」を受け取ると、受け取った映像データを分割データＡ，Ｂ，Ｃ，Ｄに分割する。第１の記録処理部１２１１は、分割データＡ，Ｂ，Ｃ，Ｄを作成すると、分割データＡ，Ｂ，Ｃ，Ｄを復元するための冗長データであるパリティデータを作成する。第１の記録処理部１２１１は、分割データＡ，Ｂ，Ｃ，Ｄと、パリティデータとを記録部１２２−１〜１２２−５へそれぞれ出力する。第１の記録処理部１２１１は、収録部１１から供給される映像データに対して上記処理を繰り返し、４個の分割データと、１個のパリティデータとを並列して記録部１２２−１〜１２２−５へ出力する。
【００５６】
また、第１の記録処理部１２１１は、記録部１２２−１〜１２２−５から分割データＡ，Ｂ，Ｃ，Ｄと、パリティデータとが読み出されると、分割データＡ，Ｂ，Ｃ，Ｄを結合して映像データ「ＡＢＣＤ」を構築する。第１の記録処理部１２１１は、結合した映像データ「ＡＢＣＤ」を、再生部１４へ出力する。
【００５７】
図７は、記録部１２２−２の一部のメモリブロックが故障し、記録部１２２−２からデータの読み出しができない場合の、第１の記録処理部１２１１の処理を説明する図である。
【００５８】
図７において、記録部１２２−２が故障しているため、記録部１２２−２からは分割データＢを読み出すことができない。一方、記録部１２２−１，１２２−３〜１２２−５からは、分割データＡ，Ｃ，Ｄと、パリティデータとが読み出される。第１の記録処理部１２１１は、分割データＡ，Ｃ，Ｄと、パリティデータとに基づいて分割データＢを復元する。第１の記録処理部１２１１は、分割データＡ，Ｃ，Ｄと、復元した分割データＢとを結合して映像データ「ＡＢＣＤ」を作成する。第１の記録処理部１２１１は、作成した映像データ「ＡＢＣＤ」を再生部１４へ出力する。
【００５９】
第１の記録処理部１２１１は、主制御部１５からリビルド要求が与えられると、交換前の記録部に記録されていたデータを復元し、復元したデータを交換後の記録部に記録する。
【００６０】
図８は、記録部１２２−２を交換した場合に、第１の記録処理部１２１１が、記録部１２２−１，１２２−３〜１２２−５に記録される分割データＡ，Ｃ，Ｄ及びパリティデータから、交換後の記録部１２２−２に交換前の分割データＢを復元する処理を説明する図である。
【００６１】
第１の記録処理部１２１１は、主制御部１５から通知される素材ＩＤ、先頭フレーム番号及びフレーム長を交換対象以外の記録部１２２−１，１２２−３〜１２２−５へ通知し、記録部１２２−１，１２２−３〜１２２−５から並列して分割データＡ，Ｃ，Ｄ及びパリティデータを読み出す。第１の記録処理部１２１１は、記録部１２２−１，１２２−３〜１２２−５から読み出される分割データＡ，Ｃ，Ｄ及びパリティデータを受け取り、分割データＡ，Ｃ，Ｄ及びパリティデータに基づいて、交換前の記録部に記録されていた分割データＢを復元する。第１の記録処理部１２１１は、交換後の記録部１２２−２に、復元した分割データＢを記録させる。
【００６２】
第１の記録処理部１２１１は、主制御部１５から出力要求が与えられると、ＲＡＩＤ方式を利用して記録部１２２−１〜１２２−Ｍから映像ファイルを読み出す。第１の記録処理部１２１１は、読み出した映像ファイルを出力部１３へ出力する。第１の記録処理部１２１１は、出力処理が終了すると、終了通知を主制御部１５へ出力する。
【００６３】
記録部１２２−１〜１２２−Ｍは、例えば、ＣＰＵと、ＣＰＵが処理を実行するためのプログラムやデータの格納領域等を含むＲＯＭ及びＲＡＭ等とを備え、ＣＰＵにプログラムを実行させる第２の記録処理部１２２１をそれぞれが有する。また、記録部１２２−１〜１２２−Ｍは、それぞれが記録媒体１２２２を具備する。ここでは記録部１２２−１について説明するが、記録部１２２−２〜１２２−Ｍの動作は記録部１２２−１と同様である。
【００６４】
第２の記録処理部１２２１は、記録制御部１２１から供給される分割データ又はパリティデータを記録媒体１２２２に記録する。
【００６５】
また、第２の記録処理部１２２１は、記録制御部１２１から再生のための読出し要求が与えられると、記録媒体１２２２から分割データ又はパリティデータを読み出す。第２の記録処理部１２２１は、読み出した分割データ又はパリティデータを記録制御部１２１へ出力する。
【００６６】
次に、以上のように構成された映像収録再生装置１０のリビルド処理を詳細に説明する。図９は、本実施形態に係る映像収録再生装置１０がリビルド処理を実行する際の主制御部１５の処理手順を示すフローチャートである。
【００６７】
まず、メイン処理部１５１２は、制御受付部１５１１を介してリビルド要求を受信する（ステップＳ９１）。メイン処理部１５１２は、記憶部１２に対してリビルド処理を実行するのに使用可能なリソースを、リソース管理部１５１３に対して要求する（ステップＳ９２）。
【００６８】
リソース管理部１５１３は、メイン処理部１５１２からリソース要求を受けると、メモリ１５２に記録されている構成管理情報テーブル及びリソース管理情報テーブルを参照し、記憶部１２に対してリビルド処理を実施するためのリソースがあるか否かを判断する（ステップＳ９３）。リソースがある場合（ステップＳ９３のＹｅｓ）、リソース管理部１５１３は、リビルド処理のために使用可能なリソースについての情報をメイン処理部１５１２へ出力すると共に、リソース管理情報テーブルの記憶部１２についての実行中機能を「リビルド中」とする（ステップＳ９４）。記憶部１２に対してリビルド処理を実施するためのリソースがない場合（ステップＳ９３のＮｏ）、リソース管理部１５１３は、記憶部１２に対するリビルド処理を実施するためのリソースがない旨の情報をメイン処理部１５１２へ出力すると共に、リソース管理情報テーブルの記憶部１２についての実行中機能を「リビルド待ち」とする（ステップＳ９５）。
【００６９】
メイン処理部１５１２は、ステップＳ９４において、リソース管理部１５１３から、リビルド処理のために使用可能なリソースについての情報を受け取ると、記憶部１２へリビルド要求を出力することで、記憶部１２にリビルド処理を開始させ（ステップＳ９６）、処理を終了させる。
【００７０】
メイン処理部１５１２は、ステップＳ９５において、リソース管理部１５１３から、リビルド処理のために使用可能なリソースがない旨の情報を受け取ると、記憶部１２にリビルド処理の開始要求があるまで待機させ（ステップＳ９７）、処理を終了する。
【００７１】
図１０は、本実施形態に係る映像収録再生装置１０が再生処理を実行する際の主制御部１５の処理手順を示すフローチャートである。なお、主制御部１５は、映像収録再生装置１０が映像信号の収録処理を実行する際も同様の処理を行う。
【００７２】
まず、メイン処理部１５１２は、制御受付部１５１１を介して再生要求を受信する（ステップＳ１０１）。メイン処理部１５１２は、再生処理に使用可能な再生部１４と、記憶部１２について使用可能なリソースとをリソース管理部１５１３に要求する（ステップＳ１０２）。
【００７３】
リソース管理部１５１３は、メイン処理部１５１２からリソース要求を受けると、メモリ１５２に記録されている構成管理情報テーブル及びリソース管理情報テーブルを参照し、再生部１４のうち使用可能な再生部と、記憶部１２について使用可能なリソースとがあるか否かを判断する（ステップＳ１０３）。使用可能な再生部と、記憶部１２について使用可能なリソースとがある場合（ステップＳ１０３のＹｅｓ）、リソース管理部１５１３は、使用可能な再生部と、記憶部１２について使用可能なリソースとについての情報をメイン処理部１５１２へ出力すると共に、リソース管理情報テーブルの記憶部１２について使用可能なリソースの実効中機能を「再生」とする（ステップＳ１０４）。使用可能な再生部と、記憶部１２について使用可能なリソースとがない、つまり、リソースが足りない場合（ステップＳ１０３のＮｏ）、リソース管理部１５１３は、記憶部１２のうち実行中機能が「リビルド中」であるリソースがあるか否かを判断する（ステップＳ１０５）。
【００７４】
実行中機能が「リビルド中」であるリソースがある場合（ステップＳ１０５のＹｅｓ）、リソース管理部１５１３は、実行中機能が「リビルド中」であるリソースについての情報をメイン処理部１５１２へ通知すると共に、このリソースについての実行中機能を「リビルド一時停止」とする（ステップＳ１０６）。実行中機能が「リビルド中」であるリソースがない場合（ステップＳ１０５のＮｏ）、リソース管理部１５１３は、処理を終了させる。
【００７５】
メイン処理部１５１２は、ステップＳ１０６において、リソース管理部１５１３から実行中機能が「リビルド中」であるリソースについての情報を受けると、このリソースを用いて実行されているリビルド処理を停止させることで、リビルド処理に割り当てられているリソースを解放し（ステップＳ１０７）、処理をステップＳ１０４へ移行する。
【００７６】
メイン処理部１５１２は、ステップＳ１０４において、使用可能な再生部と、記憶部１２について使用可能なリソースとについての情報をリソース管理部１５１３から受け取ると、使用可能な再生部及び使用可能な記憶部へ再生要求を出力し（ステップＳ１０８）、処理を終了させる。
【００７７】
図１１Ａ，Ｂは、本実施形態に係る映像収録再生装置１０がリビルド待ちになっていたリビルド処理を開始する際、及び、リビルド一時停止になっているリビルド処理を再開する際の主制御部１５の処理手順を示すフローチャートである。なお、図１１Ａ，Ｂでは、再生処理が終了した場合を例に説明するが、映像信号の収録処理が終了した場合を例にしても構わない。
【００７８】
まず図１１Ａにおいて、メイン処理部１５１２は、再生処理の終了通知を受け取る（ステップＳ１１１）。メイン処理部１５１２は、受け取った終了通知をリソース管理部１５１３へ出力する。
【００７９】
リソース管理部１５１３は、リソース管理情報テーブルを参照し、記憶部１２の状態がリビルド待ちとなっているか否かを判断する（ステップＳ１１２）。記憶部１２の状態がリビルド待ちとなっている場合（ステップＳ１１２のＹｅｓ）、リソース管理部１５１３は、記憶部１２の状態がリビルド待ちとなっていることをメイン処理部１５１２へ通知する（ステップＳ１１３）。記憶部１２の状態がリビルド待ちとなっていない場合（ステップＳ１１２のＮｏ）、リソース管理部１５１３は、「Ａ」へ移行し、記憶部１２の状態がリビルド一時停止となっているか否かを判断する（図１１ＢにおけるステップＳ１１４）。
【００８０】
ステップＳ１１３において、メイン処理部１５１２は、リソース管理部１５１３から、記憶部１２の状態がリビルド待ちとなっている旨の通知を受けると、リビルド待ちとなっているリビルド処理を実行するのに使用可能なリソースを、リソース管理部１５１３に対して要求する（ステップＳ１１５）。
【００８１】
リソース管理部１５１３は、メイン処理部１５１２からリソース要求を受けると、メモリ１５２に記録されている構成管理情報テーブル及びリソース管理情報テーブルを参照し、リビルド待ちとなっているリビルド処理を実施するためのリソースがあるか否かを判断する（ステップＳ１１６）。リソースがある場合（ステップＳ１１６のＹｅｓ）、リソース管理部１５１３は、リビルド待ちとなっているリビルド処理のために使用可能なリソースについての情報をメイン処理部１５１２へ出力すると共に、リソース管理情報テーブルの実行中機能を「リビルド待ち」から「リビルド中」へ更新する（ステップＳ１１７）。リビルド待ちとなっているリビルド処理を実施するためのリソースがない場合（ステップＳ１１６のＮｏ）、リソース管理部１５１３は、リビルド待ちとなっているリビルド処理を実施するためのリソースがない旨の情報をメイン処理部１５１２へ出力する（ステップＳ１１８）。
【００８２】
メイン処理部１５１２は、ステップＳ１１７において、リソース管理部１５１３から、リビルド処理のために使用可能なリソースについての情報を受け取ると、リビルド待ちの対象となっている記憶部１２へリビルド要求を出力することで、記憶部１２にリビルド処理を開始させる（ステップＳ１１９）。
【００８３】
続いて、メイン処理部１５１２は、上位装置／操作端末５０へ再生処理が終了したことを通知し（ステップＳ１１１０）、処理を終了させる。
【００８４】
図１１Ｂに示すステップＳ１１４において、記憶部１２の状態がリビルド一時停止となっている場合（ステップＳ１１４のＹｅｓ）、リソース管理部１５１３は、記憶部１２の状態がリビルド一時停止となっていることをメイン処理部１５１２へ通知する（ステップＳ１１１１）。記憶部１２の状態がリビルド一時停止となっている場合（ステップＳ１１４のＮｏ）、リソース管理部１５１３は、記憶部１２の状態がリビルド一時停止となっていないことをメイン処理部１５１２へ通知し（ステップＳ１１１２）、「Ｂ」から図１１Ａに示すステップＳ１１１０の処理へ移行する。
【００８５】
ステップＳ１１１１において、メイン処理部１５１２は、リソース管理部１５１３から、記憶部１２の状態がリビルド一時停止となっている旨の通知を受けると、リビルド一時停止となっているリビルド処理を実行するのに使用可能なリソースを、リソース管理部１５１３に対して要求する（ステップＳ１１１３）。
【００８６】
リソース管理部１５１３は、メイン処理部１５１２からリソース要求を受けると、メモリ１５２に記録されている構成管理情報テーブル及びリソース管理情報テーブルを参照し、リビルド一時停止となっているリビルド処理を実施するためのリソースがあるか否かを判断する（ステップＳ１１１４）。リソースがある場合（ステップＳ１１１４のＹｅｓ）、リソース管理部１５１３は、リビルド一時停止となっているリビルド処理のために使用可能なリソースについての情報をメイン処理部１５１２へ出力すると共に、リソース管理情報テーブルの実行中機能を「リビルド一時停止」から「リビルド中」へ更新する（ステップＳ１１１５）。リビルド一時停止となっているリビルド処理を実行するためのリソースがない場合（ステップＳ１１１４のＮｏ）、リソース管理部１５１３は、リビルド一時停止となっているリビルド処理を実行するためのリソースがない旨の情報をメイン処理部１５１２へ出力し（ステップＳ１１１６）、「Ｂ」から図１１Ａに示すステップＳ１１１０の処理へ移行する。
【００８７】
メイン処理部１５１２は、ステップＳ１１１５において、リソース管理部１５１３から、リビルド処理のために使用可能なリソースについての情報を受け取ると、リビルド一時停止の対象となっている記憶部１２へリビルド要求を出力することで、記憶部１２にリビルド処理を再開させ（ステップＳ１１１７）、「Ｂ」から図１１Ａに示すステップＳ１１１０の処理へ移行する。
【００８８】
以上のように、本実施形態では、主制御部１５は、リビルド処理を実行している際に、リアルタイム性を要する処理要求、例えば、映像信号の収録要求又は再生要求を受信しても、リアルタイム性を要する処理を実行するのに十分なリソースがない場合、実行中のリビルド処理を一時停止する。すなわち、主制御部１５は、リアルタイム性を要する処理を、リビルド処理よりも優先して実行するようにしている。これにより、ＲＡＩＤ方式を利用してリビルド処理を実行している場合であっても、同時に再生できるチャンネルが減少し、再生要求が来てもエラーとなり再生できないチャンネルが発生する事態を避けることが可能となる。また、同時に収録できるチャンネルが減少し、映像信号の収録要求が来てもエラーとなり収録できないチャンネルが発生する事態を避けることが可能となる。
【００８９】
また、本実施形態では、主制御部１５は、リアルタイム性を要する処理が終了すると、リソースに空きが出た段階で一時停止していたリビルド処理を再開するようにしている。また、主制御部１５は、リアルタイム性を要する処理が終了すると、リソースに空きが出た段階でリビルド待ちしていたリビルド処理を開始するようにしている。これにより、他のリアルタイム性を要する処理が並行して実行されている場合であっても、リソースに空きがあればリビルド処理を開始又は再開することが可能となる。
【００９０】
したがって、本実施形態に係る映像収録再生装置によれば、映像収録再生装置に特有な処理に影響を及ぼさずに、ＲＡＩＤ機能を利用したリビルド処理を行うことができる。
【００９１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００９２】
１０…映像収録再生装置、１１…収録部、１１１…収録処理部、１２…記憶部、１２１…記録制御部、１２１１…第１の記録処理部、１２１２…メモリ、１２２−１〜１２２−Ｍ…記録部、１２２１…第２の記録処理部、１２２２…記録媒体、１３…出力部、１３１…出力処理部、１４…再生部、１４１…再生処理部、１５…主制御部、１５１…主制御処理部、１５１１…制御受付部、１５１２…メイン処理部、１５１３…リソース管理部、１５２…メモリ、２０…ビデオカメラ、３０…再生デッキ、３１…映像記録メディア、４０…ノンリニア編集機、５０…操作端末、６０…映像確認用モニタ、７０…放送設備
【図１】
2014059659.tif 000003
【図２】
2014059659.tif 000004
【図３】
2014059659.tif 000005
【図４】
2014059659.tif 000006
【図５】
2014059659.tif 000007
【図６】
2014059659.tif 000008
【図７】
2014059659.tif 000009
【図８】
2014059659.tif 000010
【図９】
2014059659.tif 000011
【図１０】
2014059659.tif 000012
【図１１Ａ】
2014059659.tif 000013
【図１１Ｂ】
2014059659.tif 000014